(57)【要約】【課題】本発明は知能的なLEDボンドパッケージ装置を開示した。【解決手段】機体と前記機体に設置される収容筐体を含み、前記機体の底部に前記収容滑動筐体に連結する横滑動筐体が設けられ、前記収容滑動筐体に昇降円柱が設置され、前記昇降円柱の外周にねじ山が設置され、前記昇降円柱の中に底部に開口があるシェルが固定設置され、前記シェルの中にガイドスライドバーが横向きに固定設置され、前記ガイドスライドバーの下に横向きの駆動ボルトが設置され、本発明の整体構造が簡単で、LED板が安定に固定され、ボンドを付ける途中で、LED板のシフトによる偏位を防止し、ボンドスタンドの上下左右の移動を便利且つ迅速で実現して、駆動カムを通じて押し板とボンド押し栓を押してボンド注射器に圧力をかけ、ボンドをボンド注射器から押し出すという方法が便利且つ高効率で、装置の整体操作も簡単便利であり、ボンドをつける効率が高い。【選択図】図1
2019198855.tif 000002
【特許請求の範囲】
【請求項１】
知能的なLEDボンドパッケージ装置は機体と前記機体に設置される収容筐体を含み、前記機体の底部に前記収容滑動筐体に連結する横滑動筐体が設けられ、前記収容滑動筐体に昇降円柱が設置され、前記昇降円柱の外周にねじ山が設置され、前記昇降円柱の中に底部に開口があるシェルが固定設置され、前記シェルの中にガイドスライドバーが横向きに固定設置され、前記ガイドスライドバーの下に横向きの駆動ボルトが設置され、前記横向きの駆動ボルトの左端と前記シェルの左側壁に固定設置される横向きの駆動電機が動力で係合接続され、前記横向きの駆動ボルトの右端が前記シェルの右側壁に回り係合接続され、前記横向きの駆動ボルトに横向きの滑りブロックが係合接続され、前記横向きの滑りブロックの底部が下へ伸びて前記シェルの外部から抜け出し、且つ前記横向きの滑りブロックの底部にボンドスタンドが固定設置され、前記横向きの滑りブロックの頂部にガイド滑りブロックが固定設置され、前記ガイドスライドバーが前記ガイド滑りブロックを左右に貫通して、且つ前記ガイドスライドバーが前記ガイド滑りブロックに滑り係合接続され、前記収容滑動筐体の上に動力輸送筐体が設置され、前記動力輸送筐体の頂部右側に動かし電機が固定設置され、前記動かし電機の底部に第一回転軸が動力で係合接続され、前記第一回転軸が下に向いて前記動力輸送筐体を抜け出し、左右対称の動かし筐体に入り込み、前記第一回転軸が前記動力輸送筐体の内部に位置され、外周に第一ベルトが固定に回り設置され、前記動力輸送筐体の左側に第二ベルトが設置され、前記第一ベルトと前記第二ベルトの間に輸送ベルトが固定に回り設置され、前記第二ベルトの底部に第二回転軸が固定設置され、前記第二回転軸が下に向いて前記動力輸送筐体を抜け出し、左側の動かし筐体に入り込み、前記第一回転軸と前記第二回転軸の底端に雄ねじ動かしブロックが固定設置され、前記ボンドスタンドの中にボンド注射器が固定設置され、前記ボンド注射器の底部にボンド注射針が固定連結設置され、前記ボンド注射器の右側壁の上の位置でボンド添加管が固定接続され、前記ボンド添加管と前記ボンド注射器の間に電気制御バルブが固定設置され、前記ボンド注射器の頂壁にボンド押し蓋が設置され、前記ボンド押し蓋の頂部に押しロッドが固定設置され、前記押しロッドが上へ伸びて前記ボンド注射器から抜け出し、滑動筐体に入り込み、前記押しロッドの頂部に押し板が固定設置され、前記滑動筐体の頂部に駆動筐体が連結設置され、前記駆動筐体の中に駆動カムが設置され、前記駆動カムが前記押し板の頂面に当接し、前記駆動カムの右側面に駆動ロッドが固定設置され、前記駆動ロッドが右へ伸びて前記駆動筐体から抜け出し、且つ前記ボンドスタンドの中に嵌め込む減速電機が動力で係合接続され、前記動かし電機に消音緩衝装置が設置され、前記機体の下に操作台が設置され、前記操作台の頂部端面に前記機体に固定接続される支柱が左右対称で固定設置され、前記操作台の中部に調節溝が設置され、前記調節溝の右側に調節電機が固定設置され、前記調節電機の左端に調節ボルトが動力で係合接続され、前記調節ボルトはねじが半方向で設置される左調節ボルトと右調節ボルトが設置され、前記左調節ボルトと右調節ボルトに挟み固定調節ブロックがねじで係合接続され、前記挟み固定調節ブロックが前記調節溝から伸び出して、前記操作台の頂部端面に放置されるLED板を固定し、前記雄ねじ動かしブロックと前記ねじ山がねじで係合接続され、前記昇降円柱を前記収容滑動筐体に昇降させ、前記ボンド添加管の右側がボンド注ぐ機に接続し、前記消音緩衝装置が前記動かし電機の左右両端面に固定設置される消音パッドと前記動かし電機の前後両側面に固定設置される緩衝板を含み、前記消音パッドと緩衝板が接続される。
【発明の詳細な説明】
【技術分野】
【０００１】
本発明はボンドパッケージ分野に関し、具体的には、知能的なLEDボンドパッケージ装置に関する。
【背景技術】
【０００２】
ボンドはLEDパッケージ方式の一種で、伝統工芸が手作業によるものであり、この方法は時間と人力がかかり、人間に局限性があるため、接着剤を塗る時、塗り余り、はみ出し、塗歪みなどの問題が発生しやすいし、現在市販されるボンド塗布機が単一の固定式ボンドであり、製品の位置によって自動的にボンドを調節することができないため、LED板がボンドを塗る時移動されやすくて、ボンド転位を招き、製品の質が低下する。
【先行技術文献】
【特許文献】
【０００３】
【特許文献１】中国特許出願公開第101844325号明細書
【発明の概要】
【発明が解決しようとする課題】
【０００４】
本発明の目的は上記の背景技術に提出された問題を解決するための知能的なLEDボンドパッケージ装置を提供することにある。
【課題を解決するための手段】
【０００５】
本発明の知能的なLEDボンドパッケージ装置は機体と前記機体に設置される収容筐体を含み、前記機体の底部に前記収容滑動筐体に連結する横滑動筐体が設けられ、前記収容滑動筐体に昇降円柱が設置され、前記昇降円柱の外周にねじ山が設置され、前記昇降円柱の中に底部に開口があるシェルが固定設置され、前記シェルの中にガイドスライドバーが横向きに固定設置され、前記ガイドスライドバーの下に横向きの駆動ボルトが設置され、前記横向きの駆動ボルトの左端と前記シェルの左側壁に固定設置される横向きの駆動電機が動力で係合接続され、前記横向きの駆動ボルトの右端が前記シェルの右側壁に回り係合接続され、前記横向きの駆動ボルトに横向きの滑りブロックが係合接続され、前記横向きの滑りブロックの底部が下へ伸びて前記シェルの外部から抜け出し、且つ前記横向きの滑りブロックの底部にボンドスタンドが固定設置され、前記横向きの滑りブロックの頂部にガイド滑りブロックが固定設置され、前記ガイドスライドバーが前記ガイド滑りブロックを左右に貫通して、且つ前記ガイドスライドバーが前記ガイド滑りブロックに滑り係合接続され、前記収容滑動筐体の上に動力輸送筐体が設置され、前記動力輸送筐体の頂部右側に動かし電機が固定設置され、前記動かし電機の底部に第一回転軸が動力で係合接続され、前記第一回転軸が下に向いて前記動力輸送筐体を抜け出し、左右対称の動かし筐体に入り込み、前記第一回転軸が前記動力輸送筐体の内部に位置され、外周に第一ベルトが固定に回り設置され、前記動力輸送筐体の左側に第二ベルトが設置され、前記第一ベルトと前記第二ベルトの間に輸送ベルトが固定に回り設置され、前記第二ベルトの底部に第二回転軸が固定設置され、前記第二回転軸が下に向いて前記動力輸送筐体を抜け出し、左側の動かし筐体に入り込み、前記第一回転軸と前記第二回転軸の底端に雄ねじ動かしブロックが固定設置され、前記ボンドスタンドの中にボンド注射器が固定設置され、前記ボンド注射器の底部にボンド注射針が固定連結設置され、前記ボンド注射器の右側壁の上の位置でボンド添加管が固定接続され、前記ボンド添加管と前記ボンド注射器の間に電気制御バルブが固定設置され、前記ボンド注射器の頂壁にボンド押し蓋が設置され、前記ボンド押し蓋の頂部に押しロッドが固定設置され、前記押しロッドが上へ伸びて前記ボンド注射器から抜け出し、滑動筐体に入り込み、前記押しロッドの頂部に押し板が固定設置され、前記滑動筐体の頂部に駆動筐体が連結設置され、前記駆動筐体の中に駆動カムが設置され、前記駆動カムが前記押し板の頂面に当接し、前記駆動カムの右側面に駆動ロッドが固定設置され、前記駆動ロッドが右へ伸びて前記駆動筐体から抜け出し、且つ前記ボンドスタンドの中に嵌め込む減速電機が動力で係合接続され、前記動かし電機に消音緩衝装置が設置される。
【０００６】
その中に、前記機体の下に操作台が設置され、前記操作台の頂部端面に前記機体に固定接続される支柱が左右対称で固定設置され、前記操作台の中部に調節溝が設置され、前記調節溝の右側に調節電機が固定設置され、前記調節電機の左端に調節ボルトが動力で係合接続され、前記調節ボルトはねじが半方向で設置される左調節ボルトと右調節ボルトが設置され、前記左調節ボルトと右調節ボルトに挟み固定調節ブロックがねじで係合接続され、前記挟み固定調節ブロックが前記調節溝から伸び出して、前記操作台の頂部端面に放置されるLED板を固定する。
【０００７】
その中に、前記雄ねじ動かしブロックと前記ねじ山がねじで係合接続され、前記昇降円柱を前記収容滑動筐体に昇降させる。
【０００８】
その中に、前記ボンド添加管の右側がボンド注ぐ機に接続する。
【０００９】
その中に、前記消音緩衝装置が前記動かし電機の左右両端面に固定設置される消音パッドと前記動かし電機の前後両側面に固定設置される緩衝板を含み、前記消音パッドと緩衝板が接続される。
【発明の効果】
【００１０】
本発明の有益効果は、前記LED板を前記操作台の頂部端面に放置し、前記調節電機をコントロールして前記左調節ボルトと前記右調節ボルトを回転駆動させ、前記クランプ調節ブロックを相対運動させて前記LED板をクランプし、前記横向きの駆動電機をコントロールして動かせ、前記横向きの駆動電機が前記横向きの駆動ボルトを回転駆動させ、前記横向きの駆動ボルトが前記横向きの滑動ブロックを動かして左右滑動させ、前記ボンドスタンドと前記LED板の相対的な位置を調節して、それと同時に、前記動かし電機をコントロールして動かせ、前記動かし電機が前記第一回転軸と前記第一ベルトを回転駆動させ、前記第一ベルトが前記輸送ベルトを通じて前記第二ベルトを回転駆動させ、前記第二ベルトが前記第二回転軸を回転駆動させ、前記第一回転軸と前記第二回転軸が回転して前記雄ねじ動かしブロックを回転駆動させ、前記雄ねじ動かしブロックが前記ねじ山と前記昇降円柱を上または下に滑らせ、それによって、前記ボンドスタンドと前記LED板との距離を調節し、前記減速電機をコントロールして、前記減速電気が前記駆動レバーを回転駆動させ、前記駆動レバーが前記駆動カムを回転駆動させ、前記押し板が前記駆動カムに下に押され、前記押しロッドと前記ボンド押し蓋を動かし、前記ボンド押し蓋が下に向いて前記ボンド注射器からボンドを押し出して、LED板をパッケージする。
【００１１】
本発明の整体構造が簡単で、LED板が安定に固定され、ボンドを付ける途中で、LED板のシフトによる偏位を防止し、ボンドスタンドの上下左右の移動を便利且つ迅速で実現して、駆動カムを通じて押し板とボンド押し栓を押してボンド注射器に圧力をかけ、ボンドをボンド注射器から押し出すという方法が便利且つ高効率で、装置の整体操作も簡単便利であり、ボンドをつける効率が高い。
【図面の簡単な説明】
【００１２】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１３】
説明しやすいため、本発明は以下の具体的な実施例と付図を交え詳しく説明する。
【００１４】
【図１】本発明の知能的なLEDボンドパッケージ装置整体構造模式図である。
【図２】図1のボンドスタンドの拡大構造模式図である。
【発明を実施するための形態】
【００１５】
図1-2が示すように、本発明の知能的なLEDボンドパッケージ装置は機体13と前記機体13に設置される収容筐体25を含み、前記機体13の底部に前記収容滑動筐体25に連結する横滑動筐体26が設けられ、前記収容滑動筐体25に昇降円柱18が設置され、前記昇降円柱18の外周にねじ山17が設置され、前記昇降円柱18の中に底部に開口があるシェル19が固定設置され、前記シェル19の中にガイドスライドバー28が横向きに固定設置され、前記ガイドスライドバー28の下に横向きの駆動ボルト38が設置され、前記横向きの駆動ボルト38の左端と前記シェル19の左側壁に固定設置される横向きの駆動電機22が動力で係合接続され、前記横向きの駆動ボルト38の右端が前記シェル19の右側壁に回り係合接続され、前記横向きの駆動ボルト38に横向きの滑りブロック37が係合接続され、前記横向きの滑りブロック37の底部が下へ伸びて前記シェル19の外部から抜け出し、且つ前記横向きの滑りブロック37の底部にボンドスタンド40が固定設置され、前記横向きの滑りブロック37の頂部にガイド滑りブロック29が固定設置され、前記ガイドスライドバー28が前記ガイド滑りブロック29を左右に貫通して、且つ前記ガイドスライドバー28が前記ガイド滑りブロック29に滑り係合接続され、前記収容滑動筐体25の上に動力輸送筐体12が設置され、前記動力輸送筐体12の頂部右側に動かし電機10が固定設置され、前記動かし電機10の底部に第一回転軸27が動力で係合接続され、前記第一回転軸27が下に向いて前記動力輸送筐体12を抜け出し、左右対称の動かし筐体21に入り込み、前記第一回転軸27が前記動力輸送筐体12の内部に位置され、外周に第一ベルト11が固定に回り設置され、前記動力輸送筐体12の左側に第二ベルト15が設置され、前記第一ベルト11と前記第二ベルト15の間に輸送ベルト14が固定に回り設置され、前記第二ベルト15の底部に第二回転軸16が固定設置され、前記第二回転軸16が下に向いて前記動力輸送筐体12を抜け出し、左側の動かし筐体21に入り込み、前記第一回転軸27と前記第二回転軸16の底端に雄ねじ動かしブロック20が固定設置され、前記ボンドスタンド40の中にボンド注射器52が固定設置され、前記ボンド注射器52の底部にボンド注射針53が固定連結設置され、前記ボンド注射器52の右側壁の上の位置でボンド添加管50が固定接続され、前記ボンド添加管50と前記ボンド注射器52の間に電気制御バルブ51が固定設置され、前記ボンド注射器52の頂壁にボンド押し蓋59が設置され、前記ボンド押し蓋59の頂部に押しロッド47が固定設置され、前記押しロッド47が上へ伸びて前記ボンド注射器52から抜け出し、滑動筐体46に入り込み、前記押しロッド47の頂部に押し板45が固定設置され、前記滑動筐体46の頂部に駆動筐体42が連結設置され、前記駆動筐体42の中に駆動カム41が設置され、前記駆動カム41が前記押し板45の頂面に当接し、前記駆動カム41の右側面に駆動ロッド43が固定設置され、前記駆動ロッド43が右へ伸びて前記駆動筐体42から抜け出し、且つ前記ボンドスタンド40の中に嵌め込む減速電機44が動力で係合接続され、前記動かし電機10に消音緩衝装置が設置される。
【００１６】
その中に、前記機体13の下に操作台30が設置され、前記操作台30の頂部端面に前記機体13に固定接続される支柱24が左右対称で固定設置され、前記操作台30の中部に調節溝31が設置され、前記調節溝31の右側に調節電機36が固定設置され、前記調節電機36の左端に調節ボルトが動力で係合接続され、前記調節ボルトはねじが半方向で設置される左調節ボルト32と右調節ボルト34が設置され、前記左調節ボルト32と右調節ボルト34に挟み固定調節ブロック35がねじで係合接続され、前記挟み固定調節ブロック35が前記調節溝31から伸び出して、前記操作台30の頂部端面に放置されるLED板を固定する。
【００１７】
その中に、前記雄ねじ動かしブロック20と前記ねじ山17がねじで係合接続され、前記昇降円柱18を前記収容滑動筐体25に昇降させる。
【００１８】
その中に、前記ボンド添加管50の右側がボンド注ぐ機に接続する。
【００１９】
その中に、前記消音緩衝装置が前記動かし電機10の左右両端面に固定設置される消音パッド101と前記動かし電機10の前後両側面に固定設置される緩衝板102を含み、前記消音パッド101と緩衝板102が接続され、前記消音緩衝装置が前記動かし電機10の運転による騒音や振動などを有効に減少する。
【００２０】
初期状態では、前記横向きの駆動電機22、前記動かし電機10と前記減速電機44及び前記調節電機36が停止状態にある。
【００２１】
LED板33をボンドでパッケージする時、まず前記LED板33を前記操作台30の頂部端面に放置し、前記調節電機36をコントロールして前記左調節ボルト32と前記右調節ボルト34を回転駆動させ、前記クランプ調節ブロック35を相対運動させて前記LED板33をクランプし、前記横向きの駆動電機22をコントロールして動かせ、前記横向きの駆動電機22が前記横向きの駆動ボルト38を回転駆動させ、前記横向きの駆動ボルト38が前記横向きの滑動ブロック37を動かして左右滑動させ、前記ボンドスタンド40と前記LED板33の相対的な位置を調節して、それと同時に、前記動かし電機10をコントロールして動かせ、前記動かし電機10が前記第一回転軸27と前記第一ベルト11を回転駆動させ、前記第一ベルト11が前記輸送ベルト14を通じて前記第二ベルト15を回転駆動させ、前記第二ベルト15が前記第二回転軸16を回転駆動させ、前記第一回転軸27と前記第二回転軸16が回転して前記雄ねじ動かしブロック20を回転駆動させ、前記雄ねじ動かしブロック20が前記ねじ山17と前記昇降円柱18を上または下に滑らせ、それによって、前記ボンドスタンド40と前記LED板33との距離を調節し、前記減速電機44をコントロールして、前記減速電気44が前記駆動レバー43を回転駆動させ、前記駆動レバー43が前記駆動カム41を回転駆動させ、前記押し板45が前記駆動カム41に下に押され、前記押しロッド47と前記ボンド押し蓋59を動かし、前記ボンド押し蓋59が下に向いて前記ボンド注射器52からボンドを押し出して、LED板33をパッケージする。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2019198855.tif 000003
【図２】
2019198855.tif 000004
【手続補正書】
【提出日】令和1年8月11日(2019.8.11)
【手続補正１】
【補正対象書類名】特許請求の範囲
【補正対象項目名】全文
【補正方法】変更
【補正の内容】
【特許請求の範囲】
【請求項１】
知能的なLEDボンドパッケージ装置であって、機体と前記機体に設置される収容滑動筐体を含み、前記機体の底部に前記収容滑動筐体に連結する横滑動筐体が設けられ、前記収容滑動筐体に昇降円柱が上下にスライド可能に設置され、前記昇降円柱の外周にねじ山が設置され、前記昇降円柱の中に底部に開口があるシェルが固定設置され、前記シェルの中にガイドスライドバーが横向きに固定設置され、前記ガイドスライドバーの下に横向きの駆動ボルトが設置され、前記横向きの駆動ボルトの左端と前記シェルの左側壁に固定設置される横向きの駆動電機が伝動可能に接続され、前記横向きの駆動ボルトの右端が前記シェルの右側壁に回転可能に接続され、前記横向きの駆動ボルトに滑りブロックが係合接続され、前記滑りブロックの底部が下へ伸びて前記シェルの外部から抜け出し、且つ前記滑りブロックの底部にボンドスタンドが固定設置され、前記滑りブロックの頂部にガイド滑りブロックが固定設置され、前記ガイドスライドバーが前記ガイド滑りブロックを左右に貫通して、且つ前記ガイドスライドバーが前記ガイド滑りブロックにスライド可能に接続され、前記収容滑動筐体の上に動力輸送筐体が設置され、前記動力輸送筐体の頂部右側に動かし電機が固定設置され、前記動かし電機の底部に第一回転軸が伝動可能に接続され、前記第一回転軸が下に向いて前記動力輸送筐体を抜け出し、左右対称の動かし筐体に入り込み、前記第一回転軸が前記動力輸送筐体の内部に位置され、外周に第一プーリが固定的に設置され、前記動力輸送筐体の左側に第二プーリが設置され、前記第一プーリと前記第二プーリの間に輸送プーリが固定に回り設置され、前記第二プーリの底部に第二回転軸が固定設置され、前記第二回転軸が下に向いて前記動力輸送筐体を抜け出し、左側の動かし筐体に入り込み、前記第一回転軸と前記第二回転軸の底端に雄ねじ動かしブロックが固定設置され、前記ボンドスタンドの中にボンド注射器が固定設置され、前記ボンド注射器の底部にボンド注射針が固定連結設置され、前記ボンド注射器の右側壁の上の位置でボンド添加管が固定接続され、前記ボンド添加管と前記ボンド注射器の間に電気制御バルブが固定設置され、前記ボンド注射器の頂壁にボンド押し蓋が設置され、前記ボンド押し蓋の頂部に押しロッドが固定設置され、前記押しロッドが上へ伸びて前記ボンド注射器から抜け出し、滑動筐体に入り込み、前記押しロッドの頂部に押し板が固定設置され、前記滑動筐体の頂部に駆動筐体が連結設置され、前記駆動筐体の中に駆動カムが設置され、前記駆動カムが前記押し板の頂面に当接し、前記駆動カムの右側面に駆動ロッドが固定設置され、前記駆動ロッドが右へ伸びて前記駆動筐体から抜け出し、且つ前記ボンドスタンドの中に嵌め込む減速電機が伝動可能に接続され、前記動かし電機に消音緩衝装置が設置され、前記機体の下に操作台が設置され、前記操作台の頂部端面に前記機体に固定接続される支柱が左右対称で固定設置され、前記操作台の中部に調節溝が設置され、前記調節溝の右側に調節電機が固定設置され、前記調節電機の左端に調節ボルトが伝動可能に接続され、前記調節ボルトはねじが反方向で設置される左調節ボルトと右調節ボルトが設置され、前記左調節ボルトと右調節ボルトに挟み固定調節ブロックがねじで係合接続され、前記挟み固定調節ブロックが前記調節溝から伸び出して、前記操作台の頂部端面に放置されるLED板を固定し、前記雄ねじ動かしブロックと前記ねじ山がねじで係合接続され、前記昇降円柱を前記収容滑動筐体に昇降させ、前記ボンド添加管の右側がボンド注ぎ機に接続し、前記消音緩衝装置が前記動かし電機の左右両端面に固定設置される消音パッドと前記動かし電機の前後両側面に固定設置される緩衝板を含み、前記消音パッドと緩衝板が接続されることを特徴とする知能的なLEDボンドパッケージ装置。
【手続補正２】
【補正対象書類名】明細書
【補正対象項目名】全文
【補正方法】変更
【補正の内容】
【発明の詳細な説明】
【技術分野】
【０００１】
本発明はボンドパッケージ分野に関し、具体的には、知能的なLEDボンドパッケージ装置に関する。
【背景技術】
【０００２】
ボンドはLEDパッケージ方式の一種で、伝統工芸が手作業によるものであり、この方法は時間と人力がかかり、人間に局限性があるため、接着剤を塗る時、塗り余り、はみ出し、塗歪みなどの問題が発生しやすいし、現在市販されるボンド塗布機が単一の固定式ボンドであり、製品の位置によって自動的にボンドを調節することができないため、LED板がボンドを塗る時移動されやすくて、ボンド転位を招き、製品の質が低下する。
【先行技術文献】
【特許文献】
【０００３】
【特許文献１】中国特許出願公開第101844325号明細書
【発明の概要】
【発明が解決しようとする課題】
【０００４】
本発明の目的は上記の背景技術に提出された問題を解決するための知能的なLEDボンドパッケージ装置を提供することにある。
【課題を解決するための手段】
【０００５】
本発明の知能的なLEDボンドパッケージ装置は機体と前記機体に設置される収容滑動筐体を含み、前記機体の底部に前記収容滑動筐体に連結する横滑動筐体が設けられ、前記収容滑動筐体に昇降円柱が上下にスライド可能に設置され、前記昇降円柱の外周にねじ山が設置され、前記昇降円柱の中に底部に開口があるシェルが固定設置され、前記シェルの中にガイドスライドバーが横向きに固定設置され、前記ガイドスライドバーの下に横向きの駆動ボルトが設置され、前記横向きの駆動ボルトの左端と前記シェルの左側壁に固定設置される横向きの駆動電機が伝動可能に接続され、前記横向きの駆動ボルトの右端が前記シェルの右側壁に回転可能に接続され、前記横向きの駆動ボルトに滑りブロックが係合接続され、前記滑りブロックの底部が下へ伸びて前記シェルの外部から抜け出し、且つ前記滑りブロックの底部にボンドスタンドが固定設置され、前記滑りブロックの頂部にガイド滑りブロックが固定設置され、前記ガイドスライドバーが前記ガイド滑りブロックを左右に貫通して、且つ前記ガイドスライドバーが前記ガイド滑りブロックにスライド可能に接続され、前記収容滑動筐体の上に動力輸送筐体が設置され、前記動力輸送筐体の頂部右側に動かし電機が固定設置され、前記動かし電機の底部に第一回転軸が伝動可能に接続され、前記第一回転軸が下に向いて前記動力輸送筐体を抜け出し、左右対称の動かし筐体に入り込み、前記第一回転軸が前記動力輸送筐体の内部に位置され、外周に第一プーリが固定的に設置され、前記動力輸送筐体の左側に第二プーリが設置され、前記第一プーリと前記第二プーリの間に輸送プーリが固定に回り設置され、前記第二プーリの底部に第二回転軸が固定設置され、前記第二回転軸が下に向いて前記動力輸送筐体を抜け出し、左側の動かし筐体に入り込み、前記第一回転軸と前記第二回転軸の底端に雄ねじ動かしブロックが固定設置され、前記ボンドスタンドの中にボンド注射器が固定設置され、前記ボンド注射器の底部にボンド注射針が固定連結設置され、前記ボンド注射器の右側壁の上の位置でボンド添加管が固定接続され、前記ボンド添加管と前記ボンド注射器の間に電気制御バルブが固定設置され、前記ボンド注射器の頂壁にボンド押し蓋が設置され、前記ボンド押し蓋の頂部に押しロッドが固定設置され、前記押しロッドが上へ伸びて前記ボンド注射器から抜け出し、滑動筐体に入り込み、前記押しロッドの頂部に押し板が固定設置され、前記滑動筐体の頂部に駆動筐体が連結設置され、前記駆動筐体の中に駆動カムが設置され、前記駆動カムが前記押し板の頂面に当接し、前記駆動カムの右側面に駆動ロッドが固定設置され、前記駆動ロッドが右へ伸びて前記駆動筐体から抜け出し、且つ前記ボンドスタンドの中に嵌め込む減速電機が伝動可能に接続され、前記動かし電機に消音緩衝装置が設置される。
【０００６】
その中に、前記機体の下に操作台が設置され、前記操作台の頂部端面に前記機体に固定接続される支柱が左右対称で固定設置され、前記操作台の中部に調節溝が設置され、前記調節溝の右側に調節電機が固定設置され、前記調節電機の左端に調節ボルトが伝動可能に接続され、前記調節ボルトはねじが反方向で設置される左調節ボルトと右調節ボルトが設置され、前記左調節ボルトと右調節ボルトに挟み固定調節ブロックがねじで係合接続され、前記挟み固定調節ブロックが前記調節溝から伸び出して、前記操作台の頂部端面に放置されるLED板を固定する。
【０００７】
その中に、前記雄ねじ動かしブロックと前記ねじ山がねじで係合接続され、前記昇降円柱を前記収容滑動筐体に昇降させる。
【０００８】
その中に、前記ボンド添加管の右側がボンド注ぎ機に接続する。
【０００９】
その中に、前記消音緩衝装置が前記動かし電機の左右両端面に固定設置される消音パッドと前記動かし電機の前後両側面に固定設置される緩衝板を含み、前記消音パッドと緩衝板が接続される。
【発明の効果】
【００１０】
本発明の有益効果は、前記LED板を前記操作台の頂部端面に放置し、前記調節電機をコントロールして前記左調節ボルトと前記右調節ボルトを回転駆動させ、前記挟み固定調節ブロックを相対運動させて前記LED板をクランプし、前記横向きの駆動電機をコントロールして動かせ、前記横向きの駆動電機が前記横向きの駆動ボルトを回転駆動させ、前記横向きの駆動ボルトが前記横向きの滑動ブロックを動かして左右滑動させ、前記ボンドスタンドと前記LED板の相対的な位置を調節して、それと同時に、前記動かし電機をコントロールして動かせ、前記動かし電機が前記第一回転軸と前記第一プーリを回転駆動させ、前記第一プーリが前記輸送プーリを通じて前記第二プーリを回転駆動させ、前記第二プーリが前記第二回転軸を回転駆動させ、前記第一回転軸と前記第二回転軸が回転して前記雄ねじ動かしブロックを回転駆動させ、前記雄ねじ動かしブロックが前記ねじ山と前記昇降円柱を上または下に滑らせ、それによって、前記ボンドスタンドと前記LED板との距離を調節し、前記減速電機をコントロールして、前記減速電気が前記駆動レバーを回転駆動させ、前記駆動レバーが前記駆動カムを回転駆動させ、前記押し板が前記駆動カムに下に押され、前記押しロッドと前記ボンド押し蓋を動かし、前記ボンド押し蓋が下に向いて前記ボンド注射器からボンドを押し出して、LED板をパッケージする。
【００１１】
本発明の整体構造が簡単で、LED板が安定に固定され、ボンドを付ける途中で、LED板のシフトによる偏位を防止し、ボンドスタンドの上下左右の移動を便利且つ迅速で実現して、駆動カムを通じて押し板とボンド押し栓を押してボンド注射器に圧力をかけ、ボンドをボンド注射器から押し出すという方法が便利且つ高効率で、装置の整体操作も簡単便利であり、ボンドをつける効率が高い。
【図面の簡単な説明】
【００１２】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１３】
説明しやすいため、本発明は以下の具体的な実施例と付図を交え詳しく説明する。
【００１４】
【図１】本発明の知能的なLEDボンドパッケージ装置整体構造模式図である。
【図２】図1のボンドスタンドの拡大構造模式図である。
【発明を実施するための形態】
【００１５】
図1-2が示すように、本発明の知能的なLEDボンドパッケージ装置は機体13と前記機体13に設置される収容滑動筐体25を含み、前記機体13の底部に前記収容滑動筐体25に連結する横滑動筐体26が設けられ、前記収容滑動筐体25に昇降円柱18が上下にスライド可能に設置され、前記昇降円柱18の外周にねじ山17が設置され、前記昇降円柱18の中に底部に開口があるシェル19が固定設置され、前記シェル19の中にガイドスライドバー28が横向きに固定設置され、前記ガイドスライドバー28の下に横向きの駆動ボルト38が設置され、前記横向きの駆動ボルト38の左端と前記シェル19の左側壁に固定設置される横向きの駆動電機22が伝動可能に接続され、前記横向きの駆動ボルト38の右端が前記シェル19の右側壁に回転可能に接続され、前記横向きの駆動ボルト38に滑りブロック37が係合接続され、前記滑りブロック37の底部が下へ伸びて前記シェル19の外部から抜け出し、且つ前記滑りブロック37の底部にボンドスタンド40が固定設置され、前記滑りブロック37の頂部にガイド滑りブロック29が固定設置され、前記ガイドスライドバー28が前記ガイド滑りブロック29を左右に貫通して、且つ前記ガイドスライドバー28が前記ガイド滑りブロック29にスライド可能に接続され、前記収容滑動筐体25の上に動力輸送筐体12が設置され、前記動力輸送筐体12の頂部右側に動かし電機10が固定設置され、前記動かし電機10の底部に第一回転軸27が伝動可能に接続され、前記第一回転軸27が下に向いて前記動力輸送筐体12を抜け出し、左右対称の動かし筐体21に入り込み、前記第一回転軸27が前記動力輸送筐体12の内部に位置され、外周に第一プーリ11が固定的に設置され、前記動力輸送筐体12の左側に第二プーリ15が設置され、前記第一プーリ11と前記第二プーリ15の間に輸送プーリ14が固定に回り設置され、前記第二プーリ15の底部に第二回転軸16が固定設置され、前記第二回転軸16が下に向いて前記動力輸送筐体12を抜け出し、左側の動かし筐体21に入り込み、前記第一回転軸27と前記第二回転軸16の底端に雄ねじ動かしブロック20が固定設置され、前記ボンドスタンド40の中にボンド注射器52が固定設置され、前記ボンド注射器52の底部にボンド注射針53が固定連結設置され、前記ボンド注射器52の右側壁の上の位置でボンド添加管50が固定接続され、前記ボンド添加管50と前記ボンド注射器52の間に電気制御バルブ51が固定設置され、前記ボンド注射器52の頂壁にボンド押し蓋59が設置され、前記ボンド押し蓋59の頂部に押しロッド47が固定設置され、前記押しロッド47が上へ伸びて前記ボンド注射器52から抜け出し、滑動筐体46に入り込み、前記押しロッド47の頂部に押し板45が固定設置され、前記滑動筐体46の頂部に駆動筐体42が連結設置され、前記駆動筐体42の中に駆動カム41が設置され、前記駆動カム41が前記押し板45の頂面に当接し、前記駆動カム41の右側面に駆動ロッド43が固定設置され、前記駆動ロッド43が右へ伸びて前記駆動筐体42から抜け出し、且つ前記ボンドスタンド40の中に嵌め込む減速電機44が伝動可能に接続され、前記動かし電機10に消音緩衝装置が設置される。
【００１６】
その中に、前記機体13の下に操作台30が設置され、前記操作台30の頂部端面に前記機体13に固定接続される支柱24が左右対称で固定設置され、前記操作台30の中部に調節溝31が設置され、前記調節溝31の右側に調節電機36が固定設置され、前記調節電機36の左端に調節ボルトが伝動可能に接続され、前記調節ボルトはねじが反方向で設置される左調節ボルト32と右調節ボルト34が設置され、前記左調節ボルト32と右調節ボルト34に挟み固定調節ブロック35がねじで係合接続され、前記挟み固定調節ブロック35が前記調節溝31から伸び出して、前記操作台30の頂部端面に放置されるLED板を固定する。
【００１７】
その中に、前記雄ねじ動かしブロック20と前記ねじ山17がねじで係合接続され、前記昇降円柱18を前記収容滑動筐体25に昇降させる。
【００１８】
その中に、前記ボンド添加管50の右側がボンド注ぎ機に接続する。
【００１９】
その中に、前記消音緩衝装置が前記動かし電機10の左右両端面に固定設置される消音パッド101と前記動かし電機10の前後両側面に固定設置される緩衝板102を含み、前記消音パッド101と緩衝板102が接続され、前記消音緩衝装置が前記動かし電機10の運転による騒音や振動などを有効に減少する。
【００２０】
初期状態では、前記横向きの駆動電機22、前記動かし電機10と前記減速電機44及び前記調節電機36が停止状態にある。
【００２１】
LED板33をボンドでパッケージする時、まず前記LED板33を前記操作台30の頂部端面に放置し、前記調節電機36をコントロールして前記左調節ボルト32と前記右調節ボルト34を回転駆動させ、前記挟み固定調節ブロック35を相対運動させて前記LED板33をクランプし、前記横向きの駆動電機22をコントロールして動かせ、前記横向きの駆動電機22が前記横向きの駆動ボルト38を回転駆動させ、前記横向きの駆動ボルト38が前記横向きの滑動ブロック37を動かして左右滑動させ、前記ボンドスタンド40と前記LED板33の相対的な位置を調節して、それと同時に、前記動かし電機10をコントロールして動かせ、前記動かし電機10が前記第一回転軸27と前記第一プーリ11を回転駆動させ、前記第一プーリ11が前記輸送プーリ14を通じて前記第二プーリ15を回転駆動させ、前記第二プーリ15が前記第二回転軸16を回転駆動させ、前記第一回転軸27と前記第二回転軸16が回転して前記雄ねじ動かしブロック20を回転駆動させ、前記雄ねじ動かしブロック20が前記ねじ山17と前記昇降円柱18を上または下に滑らせ、それによって、前記ボンドスタンド40と前記LED板33との距離を調節し、前記減速電機44をコントロールして、前記減速電気44が前記駆動レバー43を回転駆動させ、前記駆動レバー43が前記駆動カム41を回転駆動させ、前記押し板45が前記駆動カム41に下に押され、前記押しロッド47と前記ボンド押し蓋59を動かし、前記ボンド押し蓋59が下に向いて前記ボンド注射器52からボンドを押し出して、LED板33をパッケージする。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。